(57)【特許請求の範囲】
【請求項１】
採光窓枠本体のコーナー部にコーナーキャップを取り付け、該コーナーキャップ本体の裏面に、鋸刃状の突起が中央に大きい第１山部を設け、その両サイドに第1山部より小さい第２山部を設け、第１山部と第２山部との間にブチル系ゴム材料の貯留部を設けたことを特徴とする採光窓の水密構造。
【発明の詳細な説明】
【０００１】
【発明の属する技術分野】
本発明は、採光窓の水密構造に関するものである。
【０００２】
【従来の技術】
採光窓において、水密性能に係る主な水密構造は、採光窓枠本体の防水片とガラス間の水密構造や採光窓枠本体の接合部の水密構造などで、以下に各水密構造の従来の技術を説明する。
【０００３】
はじめに、従来の採光窓枠本体の防水片とガラス間の水密構造について以下に説明する。従来の採光窓枠本体３１の防水片３６とガラス３８間の水密構造は、図６に示すように、Ａ部の個所での水密構造に該当する。図７は、Ａ部の詳細を示すもので、従来の採光窓枠本体３１の防水片３６とガラス３８間の水密構造は、防水片３６とガラス３８間にブチル４２テープ付のＥＰＤＭ独立発泡体４３で水密していた。
【０００４】
そして、従来の採光窓枠本体３１の防水片３６とガラス３８間の水密構造では、水密材の貼付け不良や逆さ積み置き等の積み置き不良の場合に、長期間使用で水密性能が落ちる恐れがあった。
【０００５】
これは、図８（ａ）に示すように、従来の採光窓枠本体３１の防水片３６とガラス３８間の水密構造は、防水片３６とガラス３８と接する面をブチル４２テープを介してＥＰＤＭ独立発泡体４３で水密していたが、全面がブチル４２で覆われていないため、貼るときや積み置き不備での輸送中にブチル４２の倒れで接着面積が低下することがあるためである。
【０００６】
また、図８（ｂ）に示すように、圧縮されたときも、ＥＰＤＭ独立発泡体４３がつぶれてＥＤＰＭ接触面４５の面積は増えるが、ブチル接触面４４の面積は増えないため、水密面積も増えないため水密性能が悪くなるためである。
【０００７】
つぎに、従来の採光窓枠本体３１の接合部の水密構造について以下に説明する。従来の採光窓枠本体３１の接合部の水密構造は、図６に示すように、Ｂ部の個所での水密構造に該当する。図９は、Ｂ部の詳細を示すもので、従来の採光窓枠本体３１の接合部の水密構造は、コーナーキャップ３３の裏にシリコン３４コーキングを塗布し、４５°付き合わせ接合面３５を覆うように貼り付けていた。
【０００８】
そして、従来の採光窓枠本体３１の接合部の水密構造では、シリコン３４による水密構造であるため、シリコン３４が硬化し熱膨張などの伸縮で接合面３５のシールが切れる恐れがあった。
【０００９】
つぎに、開閉タイプの天窓の上枠４６と下枠４７との気密構造について以下に説明する。従来の開閉タイプの天窓の上枠４６と下枠４７との気密構造は、図６に示すように、Ｃ部の個所での気密構造に該当する。図１０に示すように、開閉タイプの天窓において上枠４６を閉じる時、上枠４６が下枠４７に付いてある気密パッキン４８をつぶして気密を確保する。気密パッキン４８の材質はＥＤＰＭ独立発泡体４３である。
【００１０】
そして、従来の開閉タイプの天窓の上枠４６と下枠４７との気密構造では、気密パッキン４８の形状が長方形で、気密パッキン４８を押しつぶしてからロックがかかる際、気密パッキン４８の反発力が大きく、ロックを掛ける力が大きくなり、操作性が悪かった。
【００１１】
【発明が解決しようとする課題】
そこで、本発明が解決しようとする課題は、採光窓枠の水密性能を向上させ、より耐久性のある水密構造を提供することにある。
【００１２】
【発明の属する技術分野】
本発明の請求項１記載の採光窓の水密構造は、採光窓枠本体のコーナー部にコーナーキャップを取り付け、該コーナーキャップ本体の裏面に、鋸刃状の突起が中央に大きい第１山部を設け、その両サイドに第1山部より小さい第２山部を設け、第１山部と第２山部との間にブチル系ゴム材料の貯留部を設けたものである。
【００１７】
したがって、採光窓枠本体のコーナー部の接合部に伸縮に追随できる非硬化シーリング材で粘度が高いブチル系ゴム材料を水密材として用いて、コーナーキャップ本体の裏面に、鋸刃状の突起が中央に大きい第１山部を設けることにより、接合部のブチル系ゴム材料を重点的に少ない力で押さえ込むことができ、第１山部と第２山部との間にブチル系ゴム材料の貯留部を設けることにより、ブチル系ゴム材料が横にはみださないようにすることができる。よって、必要な箇所へ水密材の接触面積を増やすことにより、さらに水密性能を向上させることができ、より耐久性のある水密構造ができる。
【００１８】
【発明の実施の形態】
以下に、本発明の採光窓枠本体１の防水片２とガラス４間の水密構造の実施形態を、図１及び図２に従って詳述する。
【００１９】
図１に示すように、本発明の採光窓枠本体１の防水片２とガラス４間の水密構造の実施形態は、採光窓枠本体１の防水片２とブチル系ゴム材料５の水密材料とガラス４とで構成されている。
【００２０】
本発明の実施形態では、採光窓枠本体１の防水片２の裏面側に凹凸部３を設け、この凹凸部３とガラス４面との間にブチル系ゴム材料５を装着する。また、採光窓枠本体１の防水片２の裏面側の前端にブチル系ゴム材料５のはみ出し防止リブ６を設ける。
【００２１】
水密材料は、伸縮に追随できるように不硬化性のブチル系ゴム材料５が適する。ブチル系ゴム材料５は粘着性や圧縮性のあるゴム材料で、粘弾性を有するため水密材料に適している。しかし、ブチル系ゴム材料５は、粘度が高いため押さえるのに力が必要となり、採光窓枠本体１の防水片２の裏面に鋸刃状の山形状の凹凸部３を設け、水密材との接合部を、より接触面積が増え、少ない力で押さえられるようにした。
【００２２】
採光窓枠本体１としては、材質がアルミ製やステンレスなどの金属系の材料による押し出し材や曲げ材を溶接して組み立てたものあるいはこれらを組み立ててシール等の防水処理を施したものが適する。
【００２３】
図２（ａ）に示すように、採光窓枠本体１の防水片２の水密性能に係る接合部に当たるところに、水密材との接触面積が増え、水密材がつぶれるような形状として、山形状の凹凸部３を設けた。
【００２４】
また、図２（ｂ）に示すように、ブチル系ゴム材料５が横にはみださないように、その横に流れ出しを押さえるはみ出し防止リブ６を設けた。
【００２５】
このはみ出し防止リブ６を設けることにより、、ブチル系ゴム材料５がつぶれ、採光窓枠本体１の防水片２の外側にはみ出し、水密性能が低下するのを防止することができる。また、はみ出しを抑えて外観を良くすることができる。
【００２６】
以上のように、本実施の形態によれば、水密材の接触面積が増加することにより、水密性能が向上し、より耐久性のある水密性と意匠性が優れた水密構造ができる。
【００２７】
以下に、本発明の採光窓枠本体１の接合部の水密構造の実施形態を、図３及び図４に従って詳述する。
【００２８】
図３（ａ）に示すように、本発明の採光窓枠本体１の接合部の水密構造の実施形態は、採光窓枠本体１とブチル系ゴム材料５の水密材料とコーナーキャップ８とで構成されている。
【００２９】
採光窓枠本体１としては、材質がアルミ製やステンレスなどの金属系の材料による押し出し材を組み立ててシール等の防水処理を施したものである。
【００３０】
この採光窓枠は、採光窓枠のコーナー部７の４５°付き合わせ接合面１１にブチルテープを貼付し、このブチルテープを、裏面に中心ライン上に大きめの凸を設けその両サイドに少し小さめの凸を設けたコーナーキャップ８で押え込むことにより、水密性能を向上させる構造となっている。
【００３１】
水密材料は、伸縮に追随できるように不硬化性のブチル系ゴム材料５が適する。ブチル系ゴム材料５は粘着性や圧縮性のあるゴム材料で、粘弾性を有するため水密材料に適している。しかし、ブチル系ゴム材料５は、粘度が高いため押さえ込むのに力が必要となり、コーナーキャップ８の裏面に山部を設け、接合部を集中的に少ない力で押さえ込める形状とした。
【００３２】
図３（ｂ）に示すように、接合部に当たるところに大きな突起として、集中的に押える第１山部１２を設け、ブチル系ゴム材料５を集中的におさえつける形状とした。
【００３３】
また、ブチル系ゴム材料５が横にはみださないように、その横に流れ出しを押さえる第２山部１３を設けた。
【００３４】
図４に示すように、中央の第１山部１３の幅寸法１５は、コーナーキャップ８の幅の１/５くらいで、その横の第２山部１３の幅寸法１６の約３倍くらいが良い。また、中央の第１山部１３の高さ寸法１７は１ｍｍ程度で、その横の第２山部１３の高さ寸法１８の約４倍くらいが良い。
【００３５】
以上のように、本実施の形態によれば、伸縮に追随できる非硬化性のブチル系ゴム材料５で接合面を確実に接着できるため、水密性能が向上し、より耐久性のある水密性と意匠性が優れた水密構造ができる。
【００３６】
以下に、本発明の開閉タイプの天窓の上枠と下枠との気密構造の実施形態を、図５に従って詳述する。
【００３７】
図５（ａ）に示すように、本発明の開閉タイプの天窓の上枠１９と下枠２０との気密構造の実施形態は、上枠１９と下枠２０と水密材料の気密パッキン２１とで構成されている。
【００３８】
気密パッキン２１は、材質がＥＰＤＭ独立発泡体で、形状を台形とした。これは、少ない開閉操作力で気密性を確保するためで、従来の長方形を台形にすることにより、パッキンの接触面積を下げることなく、上枠が圧縮する面積（体積）を少なくすることで、押しつぶす力が少なく、ロックがかかるようにした。
【００３９】
図５において、（ｂ）は、上枠１９が閉じていない状態を示し、（ｃ）は、上枠１９が閉じた状態を示す。台形の気密パッキン２１は、長方形の場合より上枠１９が気密材を押しつぶす面積が少ない。
【００４０】
以上のように、本実施の形態によれば、少ない力で気密材を圧縮し、ロックをかけることができるため、気密性を低下させることなく、操作性を向上させることができる。
【００４１】
【発明の効果】
本発明の効果は、水密材としてブチル系ゴム材料を装着して、水密材との密着面に山形状の凹凸部を設け、はみ出し防止の突起を設けることにより、採光窓枠の水密性能を向上させ、より耐久性のある水密性と意匠性が優れた水密構造ができる。
【図面の簡単な説明】
【図１】本発明の採光窓本体の防水片とガラス間の水密構造を示す断面図である。
【図２】本発明の採光窓本体の防水片とガラス間の水密構造での水密材の状態を示す要部断面図である。
【図３】本発明の採光窓枠本体の接合部の水密構造で、（ａ）は構成を示す斜視図で、（ｂ）は（ａ）のＡ−Ａ線の断面図である。
【図４】本発明の採光窓枠本体の接合部の水密構造でのコーナーキャップの断面形状を示す断面図である。
【図５】（ａ）は開閉タイプの天窓の上枠と下枠との気密構造の構成を示す断面図で、（ｂ）は気密パッキンがつぶれる前の状態を示す概略図で、（ｃ）は気密パッキンがつぶれた状態を示す概略図である。
【図６】採光窓で水密性能に係る主な水密構造の箇所を示す斜視図である。
【図７】従来の採光窓本体の防水片とガラス間の水密構造を示す断面図である。
【図８】従来の採光窓本体の防水片とガラス間の水密構造での水密材の状態を示す要部断面図である。
【図９】従来の採光窓枠本体の接合部の水密構造でのコーナーキャップの断面形状を示す断面図である。
【図１０】従来の開閉タイプの天窓の上枠と下枠との気密構造の構成を示す断面図である。
【図１１】従来の開閉タイプの天窓の上枠と下枠との気密構造を示し、（ａ）は気密パッキンがつぶれる前の状態を示す概略図で、（ｂ）は気密パッキンがつぶれた状態を示す概略図である。
【符号の説明】
１      採光窓枠本体
２      防水片
３      凹凸部
４      ガラス
５      ブチル系ゴム材料
６      はみ出し防止リブ
７      コーナー部
８      コーナーキャップ
９      コーナーキャップ本体
１０    鋸刃状の突起
１１    接合面
１２    第１山部
１３    第２山部
１４    貯留部
【図１】
0003671913.tif 000002
【図２】
0003671913.tif 000003
【図３】
0003671913.tif 000004
【図４】
0003671913.tif 000005
【図５】
0003671913.tif 000006
【図６】
0003671913.tif 000007
【図７】
0003671913.tif 000008
【図８】
0003671913.tif 000009
【図９】
0003671913.tif 000010
【図１０】
0003671913.tif 000011
【図１１】
0003671913.tif 000012